(57)【特許請求の範囲】
【請求項１】
ヘアカッティング器具用の長さ調整可能なくしのための調整駆動装置であって、当該調整駆動装置は、
前記ヘアカッティング器具の切刃セットに対して、前記長さ調整可能なくしの可動式くし部分を作動させるように構成されたアクチュエータと、
近接感知式又は接触感知式センサ素子と、を備えており、
前記センサ素子は、前記センサ素子の任意の箇所に適用された多面的なユーザ入力を検出し、前記多面的なユーザ入力は、入力ストローク方向、入力ストローク速度、入力ストローク長さのうちの少なくとも２つのパラメータを示し、前記センサ素子は、前記少なくとも２つのパラメータを含む前記多面的なユーザ入力から導出されたユーザ入力信号を出力するように構成されており、
前記アクチュエータは、前記ユーザ入力信号に基づいて作動され、
当該調整駆動装置は、前記アクチュエータに及び前記センサ素子に結合される制御ユニットをさらに備えており、
該制御ユニットは、前記ユーザ入力信号をアクチュエータ作動信号に変換するように構成され、
前記制御ユニットは、前記ユーザ入力信号に基づいて長さ調整値を設定するようにさらに構成される、
調整駆動装置。
【請求項２】
前記制御ユニットは、検出されたユーザ入力方向に基づいて調整方向を設定するように構成される、請求項１に記載の調整駆動装置。
【請求項３】
前記制御ユニットは、前記ユーザ入力信号に応じて長さ調整の増分を調整するようにさらに構成され、前記アクチュエータは、設定された長さ調整の増分に基づいて作動される、請求項１又は２に記載の調整駆動装置。
【請求項４】
前記制御ユニットは、低速のユーザ入力動作を小さな長さ調整の増分に変換するようにさらに構成され、前記制御ユニットは、高速のユーザ入力動作を大きな長さ調整の増分に変換するようにさらに構成される、請求項１乃至３のいずれか一項に記載の調整駆動装置。
【請求項５】
前記センサ素子は、該センサ素子の近傍のタッチジェスチャ及び／又はジェスチャを検出するように構成され、前記センサ素子は、ユーザ入力スワイプを検出するように構成される、請求項１乃至４のいずれか一項に記載の調整駆動装置。
【請求項６】
前記センサ素子は、少なくとも１つの触覚センサを含む接触感知面を含む、請求項１乃至５のいずれか一項に記載の調整駆動装置。
【請求項７】
前記センサ素子は、容量性感知素子又はコンダクタンス感知素子であり、前記センサ素子は、マルチ接触感知素子である、請求項１乃至６のいずれか一項に記載の調整駆動装置。
【請求項８】
前記制御ユニットに動作可能に結合されるフィードバックユニットをさらに備えており、前記制御ユニットは、前記センサ素子においてユーザ入力を有効にすることを示すユーザガイダンスを提供するように構成され、前記制御ユニットは、ユーザに対して検出されたユーザ入力に応答してユーザフィードバックを提供するようにさらに構成される、請求項１乃至７のいずれか一項に記載の調整駆動装置。
【請求項９】
前記フィードバックユニットは、光フィードバック素子、音響フィードバック素子、及び／又は触覚フィードバック素子のうちの少なくとも１つをさらに備える、請求項８に記載の調整駆動装置。
【請求項１０】
前記フィードバックユニットは、光フィードバック素子のアレイを含む、請求項８又は９に記載の調整駆動装置。
【請求項１１】
ヘアカッティング器具用の長さ調整可能なくしであって、当該長さ調整可能なくしは、前記ヘアカッティング器具のハウジング部分に対して移動するように構成された可動式くし部分と、請求項１乃至１０のいずれか一項に記載の調整駆動装置とを備える、長さ調整可能なくし。
【請求項１２】
ハウジング部分と、切刃セットを含む切断装置と、前記ハウジング部分に対して移動するように構成された可動式くし部分を含む長さ調整可能なくしと、請求項１乃至１０のいずれか一項に記載の調整駆動装置とを含むヘアカッティング器具。
【請求項１３】
ヘアカッティング器具用の長さ調整可能なくしを操作する方法であって、当該方法は、
前記長さ調整可能なくしの可動式くし部分を作動させるためのアクチュエータを含む調整駆動装置を提供するステップと、
近接感知式又は接触感知式センサ素子を提供するステップと、
前記センサ素子の任意の箇所に適用された多面的なユーザ入力を検出するステップであって、前記多面的なユーザ入力は、入力ストローク方向、入力ストローク速度、入力ストローク長さのうちの少なくとも２つのパラメータを示す、検出するステップと、
該検出された少なくとも２つのパラメータを含む多面的なユーザ入力から導出されたユーザ入力信号を出力するステップと、
前記アクチュエータに及び前記センサ素子に結合され、前記ユーザ入力信号をアクチュエータ作動信号に変換するための制御ユニットを提供するステップであって、該制御ユニットは、前記ユーザ入力信号に基づいて長さ調整値を設定するようにさらに構成される、提供するステップと、
前記アクチュエータ作動信号を用いて前記アクチュエータを作動させるステップと、を含む、
方法。
【発明の詳細な説明】
【技術分野】
【０００１】
本開示は、ヘアカッティング(hair  cutting)器具用の間隔調整可能なくしのための調整駆動装置に関し、この調整駆動装置は、ヘアカッティング器具の切刃セットに対して、間隔調整可能なくしの可動式くし部分を作動させるように構成されたアクチュエータと、このアクチュエータ及び可動式くし部分を結合するための駆動系とを有しており、この駆動系は、減速ギヤ装置を含む。本発明は、このような調整駆動装置を含む間隔調整可能なくしと、このような間隔調整可能なくしを含むヘアカッティング器具とにさらに関する。
【背景技術】
【０００２】
ヘアカッティング器具、特に電気式ヘアカッティング器具は一般に知られており、トリマー(trimmer)、クリッパー(clipper)、及びシェーバー(shaver)を含むことができる。電気式ヘアカッティング器具は、電動式ヘアカッティング器具とも呼ばれる。電気式ヘアカッティング器具は、例えば電気供給幹線及び／又は電池等のエネルギー貯蔵器によって電力供給を受けることができる。電気式ヘアカッティング器具は、（人体の）体毛、特に顔の毛及び頭髪を整えて、人が身だしなみを整えた外観を有するようにするために一般に使用される。頻繁に、電気式ヘアカッティング器具は、動物の毛を切断するために使用される。
【０００３】
特許文献１は、本体と、切刃セットを含む切断ヘッドと、切刃セットに対して移動可能な調整可能なくしと、切刃セットを駆動して切断動作を行うための電動モータと、完全に引込まれた位置と完全に引出された位置との間で切刃セットに対してくしを移動させることができるアクチュエータアセンブリとを有する。アクチュエータアッセンブリは、くし用キャリッジと、このくし用キャリッジに接続されたくし用ボタンとを含む。くし用ボタンは、切刃セットに対してくしの位置を調整するように移動可能であり、ロックボタンがくし用ボタンに対して移動可能であり、そのロックボタンは、本体に対するくし用ボタンの移動を選択的に阻止及び許容する。その結果、くしの長さの手動調整が可能になる。
【０００４】
特許文献２は、調髪器具を開示しており、この調髪器具は、ハウジングと；このハウジングによって担持され且つ毛の調髪を容易にするように構成された少なくとも１つの調髪装置であって、ハウジングに対して選択的に移動可能であり且つ毛を切断するように構成された切刃を有する少なくとも１つの調髪装置と；切刃に対して選択的に移動可能であるくしと、このくしに動作可能に結合されたくし駆動アセンブリとを含む調整可能なくしアセンブリと；ハウジング内にあり且つ少なくとも１つの調髪装置と通信する制御回路と；ユーザからの少なくとも１つの入力を受信するためのタッチスクリーンであって、ユーザからの少なくとも１つの入力を受信することに応答して、少なくとも１つのコマンド信号を制御回路に送信するように構成されたタッチスクリーンと；を有する。制御回路は、調整可能なくしアッセンブリの動作を制御するように構成され、調整可能なくしアッセンブリの動作には、切刃に対してくしを移動して調髪器具の選択されたヘアカット長さ設定に移動させるくし駆動アセンブリが含まれる。
【０００５】
特許文献３は、モータ付き切断ガイドを含むヘアクリッパーを開示しており、ヘアクリッパーは、シャフトによって切断ガイドに接続されたモータを含む。切断ガイドは、ユーザに様々なオプションを提案するマイクロプロセッサを介して利用可能なプログラムによって駆動される。ユーザは、手動モード及び自動モードで切断ガイドを操作することができる。ユーザは、タッチスクリーンの仮想ボタンを押すことによって切断ガイドを操作することができる。
【０００６】
ヘアカッティング器具用のくし、特にスペーサ付き(spacing)くしは、一般に、取り付け可能なくし又は一体的に形成されたくしとして構成することができる。動作中に皮膚に対して移動方向に装置を動かすときに、一般に、スペーサ付きくしによって、ヘアカッティング器具の切刃セットを皮膚から離間させる。その結果、スペーサ付きくしによって、毛を所望の長さに、すなわち皮膚に残る毛を所望の長さに切断することが可能になる。
【０００７】
従来のヘアカッティング器具には、一連のアタッチメントコーム（くし）を取り付けることができ、その各コーム（くし）は異なるヘア長さに関連付けられている。そのため、器具のユーザは、基本的にアタッチメントコームを別のものに交換して、毛の切断長さを変更する必要がある。さらに、特許文献１に開示されるように、手動で調整可能なくし用アタッチメントが知られている。さらに、例えば、特許文献２に開示されるように、電動式調整コームも近年発表されている。典型的には、電動式調整コームは、ヘアカッティング器具の切刃セットに対して移動可能な可動式くし部分を含んでおり、この可動式くし部分は、アクチュエータ、特に、電動機及び／又は電動パワートレインに結合される。
【０００８】
しかしながら、電動式調整コームを頻繁に操作することは、いくつかの欠点を抱えていることが判明している。典型的には、従来の制御要素には、例えば押しボタン、制御レバー等が設けられているので、精密で正確な方法で間隔調整可能なくしを操作することは、ユーザにとって煩わしいことが多い。典型的には、これらの制御要素は、所定のユーザ入力感度を与える。換言すれば、単一のユーザ入力動作によって、モータの規定された応答を生じさせ、間隔調整可能なくしを規定された距離又は刻み(step)だけ移動させるようにし得る。基本的には、特許文献２に示されるように、従来のタッチスクリーンにも同じことが当てはまる。
【０００９】
その結果、間隔調整可能なくしを、与えられた調整範囲に粗く位置付けすること（調整範囲のかなりの長さの距離をカバーすることを含む）は、時間のかかるものとなり得る。さらに、従来の制御要素は、典型的には、上で示したように、調整動作のかなり大きな最小の増分(increment)を必要とするので、間隔調整可能なくしの微調整は困難となり得る。そのため、従来の制御要素を用いて電動式の間隔調整可能なくしを操作することは、調整速度と調整精度との間にトレードオフがあると考えることができる。
【００１０】
上述した従来の間隔調整可能なくし装置の操作及び調整効率の欠如のために、ヘアカッティング器具を操作することはさらに複雑になり得る。従って、スペーサ付きくしを調整する動作を単純化することは有利となる。時間的に効率的で且つ非常に正確な方法でユーザによって操作することができる間隔調整可能なくし及びそのための調整駆動装置を提供することはさらに有利となる。
従って、依然として、長さ調整機構に改良の余地がある。
【先行技術文献】
【特許文献】
【００１１】
【特許文献１】米国特許第６，９６８，６２３号
【特許文献２】欧州特許出願公開第２  ５００  １５３号明細書
【特許文献３】米国特許出願公開第２００８／１６３４９５号明細書
【発明の概要】
【課題を解決するための手段】
【００１２】
本発明の目的は、上述した問題の少なくともいくつかを克服することができるヘアカッティング器具、ヘアカッティング器具用の間隔調整可能なくし、及びこのような間隔調整可能なくし用の調整駆動装置を提供することである。具体的には、簡単な操作性、より好ましくは、ユーザにとって拡張された入力オプションを保証する間隔調整可能なくし用の調整駆動装置を提供することが目的である。調整速度、並びに調整精度及び正確性の改善を求めることはさらに有益であろう。間隔調整可能なくしを操作するための対応する方法を提供することはさらに有利であろう。
【００１３】
本開示の第１の態様によれば、ヘアカッティング器具用の間隔調整可能なくしのための調整駆動装置が提示され、この調整駆動装置は、
ヘアカッティング器具の切刃セットに対して、間隔調整可能なくしの可動式くし部分を作動させるように構成されたアクチュエータと、
近接感知式又は接触感知式センサ素子、特にジェスチャ制御ユーザ入力インターフェイスと、を有しており、
センサ素子は、センサ素子に適用された多面的なユーザ入力を検出し、且つこの多面的なユーザ入力から導出されるユーザ入力信号を出力するように構成されており、
アクチュエータは、ユーザ入力信号に基づいて作動される。
本開示の第１の態様による調整駆動装置は、アクチュエータに及びセンサ素子に結合される制御ユニットを有しており、制御ユニットは、ユーザ入力信号をアクチュエータ作動信号に変換するように構成される。制御ユニットは、検出されたユーザ入力速度に基づいて調整長さ値を設定するように構成される。
【００１４】
この態様は、センサ素子（センサ素子が近接感知式センサ素子として配置されることも含み得る接触感知式センサ素子）が、可動式くし部分の正確な位置付けと迅速な位置付けとの両方を誘導することができるユーザ入力動作を可能にするという洞察に基づいている。これは、センサ素子が多面的なユーザ入力を検出できるので達成される。一方では、ユーザは、センサ素子をゆっくりと少しずつ（ストローク）操作することができる。これにより、可動式くし部分の正確な位置付けが可能になる。他方では、ユーザは、センサ素子を迅速且つ大きな増分（ストローク）で操作することができる。センサ素子を操作することは、典型的には、センサ素子の感知面又は少なくともセンサ素子の近傍にストローク又はスワイプ動作を適用することを含むことができる。その結果、動的特性を検出し、且つ「シミュレートされた」慣性特性を示すように、センサ素子を構成及び／又は動作させることができる。センサ素子に迅速で且つ相当に長いストロークを適用することによって、可動式くし部分は、かなり長い距離だけ移動することができる。反対に、ユーザは、可動式くし部分をかなり少しだけ動かすように、センサ素子の上を僅かにゆっくりとドラッグすることができる。センサ素子は、接触感知面（タッチパッド）及び／又はタッチスクリーンとして構成してもよい。
【００１５】
本明細書で使用する場合に、多面的なユーザ入力は、単純な起動又は停止（又は選択又は選択解除）より多くの入力操作を含むことができる。対照的に、「多次元」ユーザ操作を想定することができる。一般に、拡張された情報は、多面的なユーザ入力から引き出すことができる。一例として、多面的なユーザ入力は、以下の特性又は入力要素（入力ストローク方向、入力ストローク速度、入力ストローク長さ、入力タップの有無、入力ストロークの有無、入力ダブルタップの有無、マルチタッチ操作の有無、プレスの有無、動作パターンの有無等、及びこれらの組合せ）の少なくとも２つを示すことができる。多面的なユーザ入力は、ジェスチャ、特にタッチジェスチャとも呼ばれる。換言すると、より一般的には、多面的なユーザ入力は、マルチ態様入力、多次元入力、及び／又はマルチ特性入力と呼んでもよい。
【００１６】
上述した特許文献２に示されるように、タッチスクリーンを利用して、タッチスクリーンの規定されたフィールドにおけるそれぞれのタップに応答して、規定された増分だけくし部分を移動させるような簡単な操作を可能にする。このようなタップは、単純なユーザ入力及び／又は従来のユーザ入力と呼ばれる。結果として、従来の装置は、たとえあったとしても１次元のユーザ操作を可能にし得る。これは、例えば、タッチスクリーンのそれぞれのフィールドをそれぞれの単純なユーザコマンドに割り当てることを必要とし得る。各ユーザコマンドに対して、それぞれのフィールド（例えば、「低速引出し」、「高速引出し」、「低速引込み」、「高速引込み」等）が必要とされる。
【００１７】
従って、本開示による調整駆動装置は、電動式くし調整駆動装置についての従来のユーザ操作方法に固有のいくつかの欠点を克服する。センサ素子は、入力面を提供することができる。より具体的には、くし調整動作コマンドの検出のために、接触感知式層又は近接（感知式）層の少なくとも一部を選択及び／又は起動することができる。
【００１８】
一般に、センサ素子は、長さ調整センサ素子と呼ぶことができる。しかしながら、センサ素子は、多目的センサ素子として構成してもよい。これは、センサ素子がいくつかの異なる動作状態で動作可能であることを含み得る。動作状態には、くし（長さ）調整、切断速度調整、安全ロックの起動／停止、記憶した個々のユーザ設定の起動等が含まれる。
【００１９】
言うまでもなく、センサ素子は、ヘアカッティング器具及び／又は調整駆動装置のハウジング部分に埋め込む又はこのハウジング部分によって覆われてもよい。この目的のために、ユーザ入力を検出するために感知層での接触を必要としない、タッチパッド及び／又はタッチスクリーン技術による感知層を利用することができる。一例として、センサ素子は、ヘアカッティング器具のハウジング部分の表面に接触感知領域として構成してもよい。接触感知式という用語は、近接感知及び／又は接触感知を含み得る。さらに、ユーザは、自分の指又は親指でセンサ素子を操作することができる。しかしながら、スタイラス及び／又は同様の入力器具等の入力ツールも利用することができる。
【００２０】
上記態様による調整駆動装置は、可動式くし部分を伸縮させるために単一のセンサ素子を使用してもよいという更なる利点を有することができる。基本的に、センサ素子は、反対の入力ストローク方向を検出することができる。そのため、入力動作方向は、可動式くし部分の引出動作又は引込動作で「並進」することができる。
【００２１】
検出された入力速度レベルに応じて、（引込／引出速度、引込／引出の増分、及び／又は引込／引出動作のオーバーラン又はタイムラグに関して）それぞれの動作モードを選択することができる。結果として、比較的速いユーザ入力ストロークは、起動によってセンサ素子の慣性挙動をシミュレートする動作モードをトリガすることができ、ユーザ入力ストロークに応答して調整動作を含む動作オーバーラン又はタイムラグは、初期入力ストロークよりも長い期間に亘って提示される。
【００２２】
調整駆動装置の一実施形態によれば、ユーザ入力信号は、入力速度、入力方向、入力ドラッグ長さ、入力経路長さ、及びこれらの組合せから構成されるグループから選択される少なくとも１つの信号成分を示す。その結果、強化されたユーザ入力情報を、センサ素子に適用される入力動作から導出することができる。検出された入力方向は、可動式くし部分の伸縮が所望されているかどうかを示すことができる。検出された入力ドラッグ（又はストローク）長さは、定性的及び／又は定量的な方法で、絶対的又は相対的な所望の長さ調整レベルを示すことができる。
【００２３】
信号成分は、信号特性とも呼ばれる。好ましくは、ユーザ入力信号は、入力速度、入力方向、入力ドラッグ長さ、入力経路長さ、及びこれらの組合せから構成されるグループから選択される少なくとも２つの信号成分を示す。入力速度検出は、ジェスチャを実行している間のユーザ入力ストローク又はドラッグのピーク速度及び／又は平均速度の検出を含むことができる。入力速度検出は、ユーザ入力、特にユーザ入力ジェスチャ、又はこの少なくとも一部を達成するために実際に必要とされる時間間隔の検出に基づいてもよい。入力方向の検出は、ジェスチャを実行している間のユーザの入力ストローク又はドラッグの瞬間的な方向及び／又は全体的な方向の粗い検出を含むことができる。方向の粗い検出は、検出された入力を規定された主入力方向（例えば、＋／−Ｘ、＋／−Ｙ、北⇔南、東⇔西等）に割り当てることを含むことができる。一般に、方向検出は、ユーザ入力ストローク又はドラッグの正／負の符号の検出を伴ってもよい。さらに、ユーザ入力ストローク又はドラッグのより正確な方向検出も想定され得る。
【００２４】
別の実施形態では、制御ユニットは、好ましくは、検出されたユーザ入力方向に基づいて調整方向を設定するようにさらに構成される。
【００２５】
既に上述したように、ユーザ入力信号は、入力指令速度、入力指令方向、及び入力指令長さ、特に入力ストローク速度、入力ストローク方向、入力ストローク長さ、入力ストローク長さ、及びこれらの組合せから構成されるグループから選択された少なくとも１つを示すことができる。一般に、アクチュエータ作動信号は、調整方向、相対的な調整長さ、絶対的な調整長さ、相対的な調整オフセット、絶対的な調整オフセット、調整速度、調整時間、及びこれらの組合せから構成されるグループから選択される少なくとも１つの値を示すことができる。
【００２６】
調整駆動装置のさらに別の実施形態では、制御ユニットは、検出されたユーザ入力速度に応じて、長さ調整の増分を調整するようにさらに構成され、アクチュエータは、設定された長さ調整の増分に基づいて作動される。そのため、調整駆動装置は、調整「ギヤ」範囲とも呼ばれる複数の調整速度範囲で動作可能である。しかしながら、調整「ギヤ」範囲は、必ずしも固定した（機械的）ギヤ範囲を指すものとして限定的な意味で解釈すべきではない。むしろ、速度制御及び速度調整は、例えば、調整駆動装置のアクチュエータ（又はモータ）上の電圧の変化に基づいてもよい。こうして、（それぞれの電圧範囲に基づいて）仮想ギヤ設定を利用することができる。さらに、調整速度は、基本的に、それぞれの電圧変動によって無限に（又は、無段階に）調整可能であってもよい。これは、実際に小さな調整刻みが存在するように、調整速度を少しずつ変化させることを含むことができる。
【００２７】
１つの例示的な構成では、調整駆動装置は、検出された入力速度に応じて、粗調整モード及び微調整モードで動作することができる。粗調整モードは、単一のユーザ入力イベントに応答して約０．５ｍｍ〜約５ｍｍの範囲の増分刻みサイズを含むことができ、その適用される値は、検出された入力長さに依存する。微調整モードは、単一のユーザ入力イベントに応答して約０．１ｍｍ〜約０．５ｍｍの範囲の増分刻みサイズを含むことができ、その適用される値は、検出された入力長さに依存する。より一般的には、少なくとも第１及び第２の別個の動作モードは、検出された富化された(enriched)ユーザ入力情報から導出される少なくとも１つの値に基づいて選択され得る。
【００２８】
調整駆動装置のさらに別の実施形態では、制御ユニットは、低速のユーザ入力動作を小さな長さ調整の増分に変換するようにさらに構成され、制御ユニットは、高速のユーザ入力動作を大きな長さ調整の増分に変換するようにさらに構成される。好ましくは、制御ユニットは、小さなユーザ入力動作長さを小さな絶対長さ調整動作に変換するようにさらに構成される。より好ましくは、制御ユニットは、大きなユーザ入力動作長さを大きな絶対長さ調整動作に変換するようにさらに構成される。
【００２９】
その結果、制御ユニットは、検出されたユーザ入力を大きなくし調整応答に「増幅」（又はギヤ・アップ(gear  up)）するか、又は検出されたユーザ入力を小さなくし調整応答に「ギヤ・ダウン(gear  down)」するように動作可能である。結果として、低速のユーザ入力動作によって、正確な増分刻み出力が得られる一方、高速のユーザ入力動作によって、比較的大きな増分で高速出力を生じさせることができる。
【００３０】
一般に、本開示は、ユーザによってセンサ素子に加えられた活性化インパルスと、制御ユニットによって実行される対応するデータ処理アクティビティとが、互いに（物理的に）分離され、それによってそれぞれの動作モード検出アルゴリズムを、ユーザ入力インパルスと、対応するアクチュエータ作動信号の決定との間に組み入れることができる。換言すれば、動作モード検出アルゴリズムは、ユーザが高速応答又は低速応答を所望するかどうかを検出するか、むしろ予測する。これは、可動式くし部分をより長い（絶対的及び／又は相対的な）長さ設定に向けて迅速に移動させ、及び可動式くし部分をより短い（絶対的及び／又は相対的な）長さ設定範囲にゆっくりと正確に移動させることができる。
【００３１】
調整駆動装置のさらに別の実施形態では、センサ素子は、このセンサ素子の近傍のタッチジェスチャ及び／又はジェスチャを検出するように構成される。好ましくは、センサ素子は、ユーザ入力スワイプ(swipe)を検出するように構成される。ユーザ入力ジェスチャは、一般に、スワイプ、ピンチ(pinch)、ズーム、及びタップ入力動作を含むことができる。本明細書で使用する場合に、入力スワイプは、入力ストロークを指してもよい。入力スワイプは、センサ素子の接触感知面又は近接感知面を横切って指（又は親指）をドラッグすることによる使用によって誘起される。
【００３２】
調整駆動装置の別の好ましい実施形態では、センサ素子は、少なくとも１つの触覚センサを含む（又はこの触覚センサに結合された）接触感知面を含む。接触感知面は、少なくとも１つの可撓性箔(foil)、特に導電性又は容量性の可撓性箔によって形成することができる。接触感知面は、例えば、フレキシブルプリント回路基板によって形成されるか、又はフレキシブルプリント回路基板と結合してもよい。センサ素子は、タッチパッド、トラックパッド、タッチスクリーン、及び／又は同様のジェスチャ感知入力インターフェイス、好ましくは接触感知式及び／又は近接感知式入力インターフェイスとして構成することができる。
【００３３】
これに関して、いくつかの実施形態では、容量性及び／又は誘導性の変化を検出することができる容量性及び／又は誘導性センサとして配置されるフレキシブルプリント回路基板を利用してもよいことを言及しておく。いくつかの特定の実施形態では、容量センサ及び／又は誘導センサは、接触感知面から離して配置してもよい。換言すれば、それぞれのセンサは、ヘアカッティング器具のハウジング内に配置してもよい。この目的のために、少なくとも１つの信号伝達要素を、（内部）センサと（外部）接触感知面との間に配置してもよい。少なくとも１つの信号伝達要素は、金属製トランスミッタ、例えば（内部）センサと（外部）接触感知面とを接続する金属ばねとして構成することができる。金属ばねに基づく信号伝達要素は、接触感知面に結合された金属プレートをさらに含むことができる。
【００３４】
接触感知面では、入力動作を実行するときに、ユーザが容量及び／又は誘導操作を適用することができる。入力動作を示すそれぞれの信号を（内部）センサに「伝達」させることができる。好ましくは、少なくとも２つの信号伝達要素を利用してもよい。より好ましくは、少なくとも３つの信号伝達要素を接触感知面の別個の位置に配置してもよい。複数の信号伝送要素の配置の結果として、多方向のユーザ入力を検出することができる。好ましくは、各信号伝達要素は、センサのそれぞれのセンサ素子に割り当てられる。
【００３５】
調整駆動装置のさらに別の実施形態によれば、センサ素子は、静電容量感知素子又はコンダクタンス感知素子であり、センサ素子は、マルチ接触感知素子であることが好ましい。静電容量式接触感知素子及びコンダクタンス接触感知素子は、特にモバイル装置及び／又はコンピュータ技術インターフェイスに関連して、当業者に一般的に知られている。さらに、いわゆるマルチ接触センサ素子は、一般に、当業者に知られている。しかしながら、これらの技術を採用することは、潜在的に本開示を明らかにするものとして理解すべきではない。
【００３６】
さらに別の実施形態では、調整駆動装置は、制御ユニットに動作可能に結合されるフィードバックユニットをさらに有する。好ましくは、制御ユニットは、ユーザ入力がセンサ素子で有効にされていることを示すユーザガイダンスを提供するように構成される。好ましくは、制御ユニットは、ユーザに対して検出されたユーザ入力に応答してユーザフィードバックを提供するようにさらに構成される。一般に、センサ素子及びフィードバックユニットは、タッチスクリーンユニット内に一体的に実装してもよい。しかしながら、別個の方法で別々に配置されたセンサ素子及びフィードバックユニットを含む代替の実施形態も想定し得る。ユーザフィードバックは、一般に、可動式くしの実際の長さ及び／又は選択された長さの表示を含むことができる。
【００３７】
上記の実施形態は、光フィードバック素子、音響フィードバック素子、及び／又は触覚フィードバック素子のうちの少なくとも１つを含むフィードバックユニットにおいてさらに発展させることができる。触覚フィードバック素子は、例えば触覚応答システムの一部として配置され、振動素子を含むことができる。光フィードバック素子は、ＬＥＤ等の光フィードバック素子として構成することができる。また、タッチスクリーンは、少なくとも１つの光フィードバック素子を規定するように操作することができる。
【００３８】
特に光フィードバック素子に関連して、ユーザのための視覚ガイダンスを提供して、くし長さ調整入力をセンサ素子のどこに及びどのように適用するかを示すことができる。この文脈において、フィードバックユニットは、光フィードバック素子のアレイ、特に潜在的なユーザ入力の方向を示すように選択的に動作可能なチェイスライト素子のアレイを有することがさらに好ましい。チェイスライト(chasing  light)は、入力方向と、ユーザ入力が適用される位置又は領域との両方を示すことができる。
【００３９】
本開示の別の態様によれば、ヘアカッティング器具用の間隔調整可能なくしが提示され、間隔調整可能なくしは、ヘアカッティング器具のハウジング部分に対して動くように配置された可動式くし部分と、本明細書で議論される少なくともいくつかの実施形態による調整駆動装置とを含む。換言すると、可動式くし部分は、ヘアカッティング器具のハウジング部分に対して移動可能である。一般に、スペーサ付きくしは、着脱可能なスペーサ付きくしとして構成することができる。代替案では、スペーサ付きくしは、ヘアカッティング器具から取り外すことができない一体化された、又は一体的に設けられたスペーサ付きくしとして構成してもよい。可動式くし部分は、間隔調整可能なくしを含むヘアカッティング器具を毛を通して移動させ、選択された長さに毛を切断するときに、毛を分けて案内する複数のくし歯を含むことができる。
【００４０】
本開示のさらに別の態様では、ヘアカット器具、特にヘアトリマー又はクリッパーが提示され、ヘアカット器具は、ハウジング部分と、切刃セットを含む切断装置と、本明細書に記載の少なくともいくつかの実施形態による間隔調整可能なくしとを含む。一般に、ヘアカッティング器具は、電動式ヘアカッティング器具と考えることができる。そのため、切刃セットを駆動するためのモータを設けることができる。典型的には、切刃セットは、固定切刃と可動切刃とを有しており、可動切刃は固定切刃に対して移動可能である。可動切刃は、固定切刃に対して駆動され、特に揺動駆動される。可動切刃及びそれぞれの固定切刃は、協働して毛を切断することができる切断エッジを含むことができる。
【００４１】
一般に、ヘアカッティング器具は、第１端部と、第１端部に対向する第２端部とを含む細長いハウジングを含むことができる。ハウジングの第１端部に、切断ヘッドを配置することができる。ハウジングの第２端部を、ハンドル端部と呼ぶこともできる。
【００４２】
ヘアカッティング器具の一実施形態では、センサ素子は、ハウジング部分内に目立たないように一体化される。これは、センサ素子をハウジング部分内に隠すことができる。好ましくは、センサ素子、特にその接触感知式又は近接感知式箔は、ハウジング部分の壁によって覆われる。これは、このようにすることで、汚れや塵の堆積が低減される傾向を示す一体形状のハウジング部分を提供することができるので有利となり得る。さらに、装置を防水仕様に形成することが容易になる。しかしながら、上述したように、代替的に又は追加的に、ヘアカッティング器具には、多面的なユーザ入力の検出のために利用される、及び少なくともいくつかの実施形態では、ユーザフィードバック、特にユーザガイダンスを提供するために利用されるタッチスクリーンが取り付けられる。
【００４３】
本開示のさらに別の態様によれば、ヘアカッティング器具用の間隔調整可能なくしを操作する方法が提示され、この方法は、
間隔調整可能なくしの可動式くし部分を作動させるためのアクチュエータを含む調整駆動装置を提供するステップと、
近接感知式又は接触感知式センサ素子、特にジェスチャ制御ユーザ入力インターフェイスを提供するステップと、
センサ素子に適用された多面的なユーザ入力を検出するステップと、
検出された多面的なユーザ入力から導出されたユーザ入力信号を出力するステップと、
アクチュエータに及びセンサ素子に結合され、ユーザ入力信号をアクチュエータ作動信号に変換するための制御ユニットを提供するステップであって、制御ユニットは、検出されたユーザ入力速度に基づいて調整長さ値を設定するようにさらに構成される、提供するステップと、
アクチュエータ作動信号を用いてアクチュエータを作動させるステップと、を含む。
【００４４】
好ましくは、この方法は、本明細書で議論されるような、間隔調整可能なくし及び調整駆動装置を使用することができる。本開示の好ましい実施形態は、従属請求項に規定される。特許請求の範囲に記載された方法は、特許請求の範囲に記載された装置及び従属請求項に規定される装置と同様の及び／又は同一の好ましい実施形態を有するように理解すべきである。
【図面の簡単な説明】
【００４５】
【図１】電気式ヘアカッティング器具と間隔調整可能なくしの例示的な実施形態の概略斜視図を示しており、スペーサ付きくしが取り外された状態で示されている。
【図２】ヘアカッティング器具及び間隔調整可能なくしのさらに別の実施形態の部分分解図を示しており、スペーサ付きくしが挿入向きで示されている。
【図３】間隔調整可能なくしとスペーサ付きくし用の調整駆動装置とが取り付けられたヘアカッティング器具の例示的な実施形態の簡略上面図を示す。
【図４】引き込み可能なスペーサ付きくしとスペーサ付きくしを調整するための調整駆動装置とが取り付けられたヘアカッティング器具の例示的な実施形態の概略的な簡略側面図を示す。
【図５】間隔調整可能なくしとスペーサ付きくし用の調整駆動装置とが取り付けられたヘアカッティング器具の別の例示的な実施形態の簡略上面図を示しており、この器具は、例示的なユーザ入力レイアウトを含む。
【図６】間隔調整可能なくしとスペーサ付きくし用の調整駆動装置とが取り付けられたヘアカッティング器具の別の例示的な実施形態の簡略上面図を示しており、この器具は、別の例示的なユーザ入力レイアウトを含む。
【図７】間隔調整可能なくしとスペーサ付きくし用の調整駆動装置とが取り付けられたヘアカッティング器具の別の例示的な実施形態の上面図を示しており、この器具は、さらに別の例示的なユーザ入力レイアウトを含む。
【図８】間隔調整可能なくしが取り付けられた例示的なヘアカッティング器具の概略斜視図であり、このヘアカッティング器具は、ユーザによって保持されており、スペーサ付きくし用の調整駆動装置を作動するためのセンサ素子を操作することができる。
【図９】図８に示されるヘアカッティング器具の概略斜視図であり、ユーザの手が示されておらず、間隔調整可能なくしを引き出した状態が破線で示されている。
【図１０】本開示のいくつかの態様によるヘアカッティング器具用の間隔調整可能なくしを操作するための例示的な方法の実施形態のいくつかのステップを表す例示的なブロック図を示す。
【図１１】図１０に示される方法の一実施形態のいくつかのサブステップを表すさらに別の例示的なブロック図を示す。
【発明を実施するための形態】
【００４６】
本開示のこれらの態様及び他の態様は、以下に記載される実施形態を参照して説明され、明らかになるであろう。
図１は、ヘアカッティング(hair  cutting)器具１０、特に電動式ヘアカッティング器具１０の概略斜視図を示す。ヘアカッティング器具１０は、ヘアクリッパー(clipper)又はヘアトリマー(trimmer)とも呼ばれる。ヘアカッティング器具１０は、全体的に細長い形状を有するハウジング又はハウジング部分１２を含むことができる。その第１端部には、切断装置１４が設けられる。切断装置１４は、切刃セット１６を有することができる。切刃セット１６は、毛を切断するために互いに動くことができる可動切刃と固定切刃とを有することができる。ハウジング部分１２の第２端部には、ハンドル又は把持部１８が設けられる。ユーザは、把持部１８でハウジングをつかむか把持することができる。
【００４７】
ヘアカッティング器具１０は、オペレータ制御部をさらに含むことができる。例えば、オン−オフスイッチ又はボタン２０を設けてもよい。さらに、長さ調整制御部２２を、ヘアカッティング器具１０のハウジング１２に設けてもよい。長さ調整制御部２２は、間隔調整可能なくし２６をヘアカッティング器具１０のハウジング部分１２に取り付ける場合に、設けることができる。図１では、間隔調整可能なくし(adjustable  spacing  comb)２６が、分離状態又は取外し状態で示されている。このスペーサ付きくし(spacing  comb)２６がヘアカッティング器具１０から取り外されると、最小切断長さを実現することができる。スペーサ付きくし２６をヘアカッティング器具１０に取り付けると、毛を所望の長さに切断することができる。
【００４８】
図２は、ヘアカッティング器具１０のハウジング部分１２の第１端部の部分斜視概略図を示す。さらに、間隔調整可能なくし２６が、ハウジング部分１２に対して挿入向きで示されている。ハウジング部分１２及び間隔調整可能なくし２６が、分解された状態で示されている。一例として、スペーサ付きくし２６は、例えば摺動式ビーム３４−１、３４−２を含むアッタチメント部分２８を含むことができる。アタッチメント部分２８は、ハウジング部分１２に係合することができる。より具体的には、ハウジング部分１２の取付け部分３０にアタッチメント部分２８を取り付けることができる。この目的のために、摺動式ビーム３４−１、３４−２を、取付け部分３０のそれぞれの取付けスロット３８−１，３８−２内に挿入することができる。アタッチメント部分２８は、例えば摺動式ビーム３４−１、３４−２のうちの少なくとも１つに設けられる少なくとも１つのスナップ式部材３６をさらに有してもよい。スナップ式部材３６によって、スペーサ付きくし２６をその取付け状態に固定することができる。
【００４９】
図２からさらに理解されるように、スペーサ付きくし２６は、複数のくし歯を含む歯付き部分３２をさらに含むことができる。一般に、歯付き部分３２は、切刃セット１６が取付け状態で配置されるスロットを含むことができる。
【００５０】
図３及び図４をさらに参照すると、間隔調整可能なくし２６の例示的な実施形態と、このスペーサ付きくし２６を作動させるための例示的な調整駆動装置５０の実施形態とについて、さらに図示し且つ説明する。図３は、ヘアカッティング器具１０の概略背面図を示す。図４は、ヘアカッティング器具１０の概略側面図を示す。これに関して、図３及び図４に示される図は、必ずしも同じ構成又は実施形態を表すとは限らないことを言及しておく。ヘアカッティング器具１０のそれぞれのハウジング部分１２が、破線で図３及び図４に示されている。そのため、ヘアカッティング器具１０の内部要素が見える。
【００５１】
特に図３を参照して、間隔調整可能なくし２６についてさらに説明する。図１及び図２も参照して、間隔調整可能なくし２６は、ハウジング１２に配置されたキャリッジ４２と協働する摺動式ビーム３４を有することができる。一般的に、摺動式ビーム３４をキャリッジ４２にスナップ式に取り付けることができる。スペーサ付きくし２６の少なくとも実質的な部分は、可動式くし部分４０と考えることができる。図３に最も良く確認されるように、可動式くし部分４０をキャリッジ４２に結合することができ、そのため、可動式くし部分４０は、キャリッジ４２と一緒に移動する。キャリッジ４２及び可動式くし部分４０を駆動するために、キャリッジ４２に結合される係合部材４４を設けてもよい。切刃セット１６（図１参照）に対して可動式くし部分４０を作動又は駆動するために、調整パワートレインとも呼ばれる調整駆動装置５０を設けることができる。換言すれば、調整駆動装置５０は、電動式調整駆動装置５０と考えることができる。
【００５２】
調整駆動装置５０は、アクチュエータ５２、より具体的には、電動モータを含むことができる。アクチュエータ５２を減速ギヤ５４に結合してもよい。減速ギヤ５４を伝達要素５６に結合してもよい。一般に、伝達要素５６は、アクチュエータ５２及び減速ギヤ５４の回転出力運動を、もしあれば、可動式くし部分４０の基本的に長手方向の位置付け運動に変換する。それぞれの長手方向が、参照符号５８で示される二重矢印によって図３及び図４に示されている。
【００５３】
図３及び図４から理解されるように、伝達要素５６は、ねじ切りされたスピンドル、特に小ピッチのスピンドルとして構成することができる。そのため、伝達要素５６は、図３の参照符号６０で示される曲がった矢印で示される、回転運動で動き出すように構成することができる。伝達要素５６は、キャリッジ４２、ひいては可動式くし部分４０を押し引きするように、係合部材４４と係合するように構成することができる。いくつかの実施形態では、伝達要素５６をギヤラック要素として構成してもよい。いくつかの実施形態では、伝達要素５６を押込みロッド要素として構成してもよい。一般に、アクチュエータ５２は、キャリッジ４２に機械的に接続され、取付け状態で、可動式くし部分４０に機械的に接続してもよい。
【００５４】
調整駆動装置５０を作動させるために、それぞれの制御要素を設けてもよい。この目的のために、調整駆動装置５０は、センサ素子６４、特にユーザのジェスチャに高感度を示すセンサ素子６４を有することができる。センサ素子６４は、接触感知式及び／又は近接感知式センサ素子６４として構成することができる。センサ素子６４は、基本的に平面的に(areally)延びるセンサ素子６４、例えば基本的に２次元で延びるセンサ素子６４として配置することができる。言うまでもなく、センサ素子６４は曲面を含んでもよい。本発明によれば、センサ素子６４は、拡張又は強化されたユーザ入力情報を示す比較的多面的な(multi-faceted)ユーザ入力を検出するように構成される。一例として、ユーザ入力は、例えばセンサ素子６４を横切るユーザストロークを示す入力スワイプを含むことができる。
【００５５】
センサ素子６４は、制御ユニット６８と結合してもよい。制御ユニット６８には、センサ素子６４から供給されるユーザ入力信号を与えてもよい。制御ユニット６８は、センサ素子６４を監視することができる。制御ユニット６８は、処理装置を有することができる。制御ユニット６８は、検出されたユーザ入力信号を、アクチュエータ５２に伝達されるアクチュエータ作動信号に変換することができる。そのため、アクチュエータ５２とセンサ素子６４との間には動力伝達又は力伝達リンクは存在していない。むしろ、センサ素子６４から制御ユニット６８を介してアクチュエータ５２に電気信号を伝達することができる。上述したように、ユーザ入力信号は、入力速度、入力長さ、入力方向、及びそれから導出可能なそれぞれの情報等の拡張情報を示すことができる。この拡張情報に基づいて、制御ユニット６８は、結果として得られるアクチュエータ作動信号を処理することができ、この信号を使用して、アクチュエータ５２を作動することができる。
【００５６】
図３における反対方向を示す矢印７０、７２によって示されるように、制御ユニット６８は、ユーザ入力信号からユーザ入力方向を導出するように構成することができる。その結果、制御ユニット６８は、ユーザ入力の検出された方向７０、７２に応じて、可動式くし部分４０を伸縮させるようにアクチュエータを作動することができる。そのため、複数の機能を単一のセンサ素子６４に割り当てることができる。ユーザが多面的なユーザ入力（ジェスチャ）を適用することができるので、センサ素子６４において特定の動作モードを別個に設定する必要が全くない。ユーザ入力方向７０、７２の検出に加えて、制御ユニット６８は、ユーザ入力信号から所望の長さ調整値を導出することができる。長さ調整値は、センサ素子６４によって感知された入力（ストローク）速度及び／又は入力（ストローク）長さから導出してもよい。その結果、制御ユニット６８は、所望の長さ調整動作を誘導するように、アクチュエータをそれに応じて作動させることができる。
【００５７】
図４についてさらに参照を行う。可動式くし部分４０’の引出した状態が、各破線によって図４に示される。図４に示されるように、調整駆動装置５０は、フィードバックをユーザ入力に及び／又はユーザフィードバックをユーザに提供することができるフィードバックユニット７４をさらに有することができる。一般に、フィードバックユニット７４は、光フィードバックユニット、触覚フィードバックユニット、音響フィードバックユニット、及びこれらの組合せとして構成することができる。フィードバックユニット７４及びセンサ素子６４は、ヘアカッティング器具１０に、特にそのハウジング部分１２に間隔を空けた位置に配置することができる。しかしながら、少なくともいくつかの実施形態では、フィードバックユニット７４及びセンサ素子６４は、ヘアカッティング器具１０に、特にそのハウジング部分１２の同じ領域に配置される。フィードバックユニット７４及びセンサ素子６４は、少なくとも部分的に互いに重なり合ってもよい。フィードバックユニット７４及びセンサ素子６４は、タッチスクリーン等の結合された入力／フィードバックインターフェイスとして一体的に形成してもよい。
【００５８】
図５及び図６についてさらに参照を行う。図５及び図６は、本開示による調整駆動装置５０の例示的な実施形態を示しており、それぞれのフィードバックユニット７４の様々な構成が示されている。図５に示されるように、フィードバックユニット７４は、ディスプレイ７６、特にＬＣＤ又はＬＥＤディスプレイ７６を有することができる。一般に、ディスプレイ７６は、視覚的フィードバック及び／又はユーザガイダンスをユーザに提供するように構成することができる。ディスプレイ７６は、グラフィックス及び／又は英数字情報を表示するように構成することができる。ディスプレイ７６は、くし長さ調整設定に関係しない情報も示すことができる多目的ディスプレイとして構成することができる。例えば、ディスプレイ７６は、ヘアカッティング器具１０のバッテリの充電状態及び／又は選択された切断動作モードを表示するように構成することができる。
【００５９】
くし長さ調整設定に関して、ディスプレイ７６は、くし長さに関連する英数字情報を示すように構成することができる。さらに、ディスプレイ７６は、多面的なユーザ入力をセンサ素子６４に適用することによって、ユーザが所望の長さ設定を選択することができることを示すユーザガイダンス情報を表示することができる。図５からさらに理解されるように、フィードバックユニット７４は、光フィードバック素子８２とも呼ばれる視覚フィードバック素子８２の少なくとも１つのアレイ８０も有することができる。一般に、フィードバック素子８２は、発光ダイオード（ＬＥＤ）等の発光フィードバック素子として構成することができる。好ましくは、アレイ８０は、チェイスライト(chasing  light)・アレイ８０として配置してもよい。図５に示されるように、ヘアカッティング器具のハウジング１２に２つのアレイ８０を配置してもよい。例えば、フィードバック素子８２のアレイ８０を、センサ素子６４の対向する（横方向の）端部（図５では破線で示されている）に配置してもよい。フィードバック素子８２のアレイ８０を、センサ素子６４が延びる領域に隣接して配置してもよい。
【００６０】
この配置は、可動式くし部分４０を伸縮させるために、ユーザがセンサ素子６４を横切って所望の方向（矢印７０、７２）にドラッグすることにより、くしの長さを調整し得ることをチェイスライト・アレイ８０が明白に示すという利点を有し得る。各フィードバック素子８２を、選択的に起動又は停止してもよい。さらに、フィードバック素子８２は、方向７０、７２を明確に示すように、チェイスライト方式で動作させることができる。もっとも、フィードバック素子８２は、絶対的及び／又は相対的な長さ調整値等の、絶対的及び／又は相対的な長さ調整設定を示すように動作させることもできる。
【００６１】
図６から理解されるように、フィードバックユニット７４は、ユーザ入力を感知し、この入力に応答してユーザフィードバックを提供する及び／又はユーザ入力に関連するユーザガイダンスを提供することができる統合型タッチスクリーン８６をさらに有することができる。図５及び図６の例では、起動された例示的なフィードバック素子８２がハッチングされた状態で示されている。一般に、タッチスクリーン８６は、グラフィックス及び／又は英数字情報を表示するように構成することができる。これは、複数のフィードバック素子８２を含む「シミュレートされた」チェイスライト・アレイ８０がタッチスクリーン８６によって表示されることを含むことができる。さらに、ユーザがタッチスクリーン８６の一部として又はタッチスクリーン８６に関連して配置されたセンサ素子６４にユーザ入力を直接的に適用できることを示すために、タッチスクリーン８６に目立つ(prominent)ユーザガイダンス要素８８を表示させることができる。チェイスライト・アレイ８０に加えて又はこれに代えて、ユーザガイダンス要素８８を示すことができる。
【００６２】
図７は、間隔調整可能なくし２６とこのスペーサ付きくし２６用の調整駆動装置５０とが取り付けられたヘアカッティング器具１０の別の例示的な実施形態の上面図を示しており、調整駆動装置５０は、さらに別の例示的なユーザ入力レイアウトを含む。ハウジング部１２の中央領域に配置されたセンサ素子６４が設けられている。ユーザフィードバックに関して、センサ素子６４は基本的に受動的であってもよい。センサ素子６４は、視覚（光）フィードバック素子８２の２つのアレイ８０の間に配置された接触感知面を含むことができる。そのため、アレイ８０は、例えばセンサ素子６４を横切ってドラッグすることによってユーザ入力を適用したセンサ素子６４の位置及びそれぞれの表面を示すようなチェイスライト・アレイとして動作することができる。さらに、グラフィックス及び／又は英数字情報を提示することができるディスプレイ７４を設けてもよい。
【００６３】
いくつかの実施形態では、センサ素子６４は、触覚フィードバック（図７には示されていない）を提供することができるフィードバックユニットとさらに結合してもよい。この目的のために、センサ素子６４の近傍にそれぞれの振動素子を設けることができる。
【００６４】
図８及び図９をさらに参照すると、それぞれ間隔調整可能なくし２６が取り付けられたヘアカッティング器具１０の例示的な実施形態が示される。図８は、ユーザが保持している状態のヘアカッティング器具１０の斜視図を示す。ヘアカッティング器具１０は、間隔調整可能なくし２６用の調整駆動装置（図３及び図４には図示せず）をさらに有することができる。ユーザは、センサ素子６４を操作する、特にジェスチャ（スワイプ、ストローク等）を接触感知面及び／又は近接感知面に適用することによって、調整駆動装置を作動させることができる。一般に、間隔調整可能なくし２６、より具体的にはその可動式くし部分４０（図９参照）を、ヘアカッティング器具１０の切刃セット１６（図１参照）に対して動かして、間隔調整可能なくし２６と切刃セット１６との間の距離を調整することができる。一例として、可動式スペーサ付きくし２６は、参照符号５８の二重矢印によって図３及び図９に示されるほぼ長手方向に引き出してもよく、又は引き込んでもよい。
【００６５】
図８に示されるスペーサ付きくし２６は、引き込んだ状態にある。図９は、スペーサ付きくし２６の可動式くし部分４０の引込み状態及び引出し状態を示す。可動式くし部分４０’のそれぞれの引出し状態が、図９に破線で示される。図８に確認されるように、ユーザは、センサ素子６４を基本的に長手方向７０、７２に作動させて、スペーサ付きくし２６の調整動作を生じさせることができる。センサ素子６４を動作又は操作することによって、ユーザは、所望の切断長さを規定又は設定するように、間隔調整可能なくし２６用の調整駆動装置を制御することができる。
【００６６】
言うまでもなく、図３及び図９に示される調整駆動装置５０の例示的な構成、特にセンサ素子６４及びそのフィードバックユニット７４の例示的な構成は、主に説明のために設けられている。そのため、各実施形態を、限定的な意味で理解すべきでない。
【００６７】
図１０をさらに参照すると、ヘアカッティング器具用の間隔調整可能なくしを操作する例示的な方法が示され、さらに説明される。この方法は、アクチュエータを含む調整駆動装置を提供するステップＳ１０を含むことができ、そのアクチュエータによって、ヘアカッティング器具用の間隔調整可能なくしの可動式くし部分を作動させる。好ましくは、調整駆動装置は、本明細書で開示されるような少なくともいくつかの実施形態に従って成形される。センサ素子を設けるステップを含む更なるステップＳ１２が続いてもよい。センサ素子は、近接感知式又は接触感知式センサ素子、特にジェスチャ制御ユーザ入力インターフェイスとして構成することができる。センサ素子に適用された多面的なユーザ入力の検出を含む更なるステップＳ１４が続いてもよい。多面的なユーザ入力は、ストローク、ジェスチャ等を含んでもよい。続くステップＳ１６では、検出されたユーザ入力に基づいて、それぞれのユーザ入力信号を、生成し、且つ更なる処理のために提供することができる。好ましくは、ユーザ入力信号は、少なくとも入力速度を示す。さらに、ユーザ入力信号は、入力方向、入力長さ、及びそれから導出可能な更なる入力値を示すことができる。さらに別のステップＳ１８では、調整駆動装置のアクチュエータをユーザ入力信号に基づいて作動させることができる。ステップＳ１８は、ユーザ入力信号をアクチュエータ作動信号に変換することを含むことができる。この目的のために、制御ユニットを設けてもよい。ユーザ入力が基本的にユーザ入力ストロークから構成される場合に、アクチュエータ作動信号は、検出されたユーザ入力ストローク速度、ユーザ入力ストローク方向、及びユーザ入力ストローク長さに依存してもよい。
【００６８】
図１１は、本開示による間隔調整可能なくしを操作する方法の実施形態のいくつかのサブステップを示す。具体的には、センサ素子の感知面を横切るストロークからの入力の検出が扱われる。ステップＳ２０は、センサ素子におけるストロークの検出を含むことができる。そのため、多面的なユーザ入力信号を、制御ユニットによって検出してもよい。ユーザ入力信号は、入力ストロークのいくつかの態様に関する情報を含むことができる。
【００６９】
ユーザ入力信号は、それに応じて解析及び処理される。一例として、この方法は、オプションのステップとして又は組み合わせて実施することができるオプションのサブステップを含むことができる。サブステップは、入力信号からの入力ストローク方向の導出を含むステップＳ２２を含むことができる。その結果、ユーザが可動式くし部分を伸縮させたいかどうかを評価することができる。サブステップは、入力信号からの入力ストローク速度の導出を含むステップＳ２４をさらに含むことができる。その結果、ユーザが、可動式くし部分を高速又は低速で操作して大きな又は小さな調整距離を橋渡ししたいかどうかを評価することができる。サブステップは、入力信号からの入力ストローク長さの導出を含むステップＳ２６をさらに含むことができる。その結果、所望の定性的及び／又は定量的な長さ調整値に関する結論を、入力ストローク長さから引き出すことができる。次のステップＳ２８は、（サブ）ステップＳ２２、Ｓ２４、及びＳ２６のいずれかで得られたデータを考慮した出力信号の生成を含むことができる。この出力信号に基づいて、調整駆動装置、従って間隔調整可能なくしを操作して、これを所望の切断長さに設定することができる。
【００７０】
本発明について、図面及び前述の詳細な説明において詳細に図示及び説明してきたが、このような図示及び説明は、例又は例示であり、限定的なものではないとみなすべきであり、本発明は、開示された実施形態に限定されるものではない。開示された実施形態に対する他の変形形態は、図面、明細書の開示、及び添付の特許請求の範囲の検討から、特許請求の範囲に記載された発明を実施する当業者により理解され、実施することができる。
【００７１】
特許請求の範囲において、用語「備える、有する、含む(comprising)」は、他の要素又はステップを排除するものではなく、不定冠詞「１つの(a,  an)」は、複数を除外するものではない。単一の要素又は他のユニットは、特許請求の範囲に記載された、いくつかのアイテムの機能を満たすことができる。特定の手段が互いに異なる従属請求項に記載されているという単なる事実は、これらの手段の組合せが有利に使用できないことを示すものではない。
請求項における任意の参照符号は、特許請求の範囲を限定するものとして解釈すべきではない。
【図１】
0006549702.tif 000002
【図２】
0006549702.tif 000003
【図３】
0006549702.tif 000004
【図４】
0006549702.tif 000005
【図５】
0006549702.tif 000006
【図６】
0006549702.tif 000007
【図７】
0006549702.tif 000008
【図８】
0006549702.tif 000009
【図９】
0006549702.tif 000010
【図１０】
0006549702.tif 000011
【図１１】
0006549702.tif 000012